【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】  少なくとも波長の異なる複数のレーザ光の各々をスポット光として試料上に走査し、
前記スポット光に基づく前記試料からの光を検出し、得られた画像情報を切り分けて記録する、ことを特徴とするレーザ走査型共焦点顕微鏡装置の画像記録方法。
【請求項２】  前記走査では、１ピクセル毎に前記複数のレーザ光の各々をスポット光として試料上に走査し、
前記記録では、前記画像情報を１ピクセル毎に切り分けて記録する、ことを特徴とする請求項１記載のレーザ走査型共焦点顕微鏡装置の画像記録方法。
【請求項３】 前記走査では、１ライン毎に前記複数のレーザ光の各々をスポット光として試料上に走査し、
前記記録では、前記画像情報を１ライン毎に切り分けて記録する、ことを特徴とする請求項１記載のレーザ走査型共焦点顕微鏡装置の画像記録方法。
【請求項４】 前記走査では、１フレーム毎に前記複数のレーザ光の各々をスポット光として試料上に走査し、
前記記録では、前記画像情報を１フレーム毎に切り分けて記録する、ことを特徴とする請求項１記載のレーザ走査型共焦点顕微鏡装置の画像記録方法。
【請求項５】 更に、前記１ピクセル毎に切り分けた画像情報を用いて演算を行い、該演算の結果を表示する、ことを特徴とする請求項２記載のレーザ走査型共焦点顕微鏡装置の画像記録方法。
【請求項６】 更に、前記１ライン毎に切り分けた画像情報を用いて演算を行い、該演算の結果を表示する、ことを特徴とする請求項３記載のレーザ走査型共焦点顕微鏡装置の画像記録方法。
【請求項７】 レーザ走査型共焦点顕微鏡装置の画像記録制御をコンピュータに実行させるためのプログラムを記録した記録媒体であって、
少なくとも波長の異なる複数のレーザ光の各々をスポット光として試料上に走査し、
前記スポット光に基づく前記試料からの光を検出し、
得られた画像情報を切り分けて記録する、ことを前記コンピュータに実行させるためのプログラムを記録した記録媒体。
【請求項８】 前記走査では、１ピクセル毎に前記複数のレーザ光の各々をスポット光として試料上に走査し、
前記記録では、前記画像情報を１ピクセル毎に切り分けて記録する、ことを前記コンピュータに実行させるためのプログラムを記録した請求項７記載の記録媒体。
【請求項９】 前記走査では、１ライン毎に前記複数のレーザ光の各々をスポット光として試料上に走査し、
前記記録では、前記画像情報を１ライン毎に切り分けて記録する、ことを前記コンピュータに実行させるためのプログラムを記録した請求項７記載の記録媒体。
【請求項１０】 前記走査では、１フレーム毎に前記複数のレーザ光の各々をスポット光として試料上に走査し、
前記記録では、前記画像情報を１フレーム毎に切り分けて記録する、ことを前記コンピュータに実行させるためのプログラムを記録した請求項７記載の記録媒体。
【請求項１１】 試料に照射させるレーザ光を少なくとも波長の異なるレーザ光に切り換える切換手段と、
前記試料上に、前記切換部により切り換えられたレーザ光であるスポット光を走査する走査手段と、
前記スポット光に基づく前記試料からの光をアナログ電気信号に変換する光電変換手段と、
前記アナログ電気信号をデジタル電気信号に変換する複数のＡ／Ｄ変換手段と、
前記切換部によるレーザ光の切り換え状態に応じて、前記アナログ電気信号の入力先を前記複数のＡ／Ｄ変換部のうちの何れか１つに切り換える信号分岐切換手段と、
前記デジタル電気信号に応じた画像を表示する表示手段と、を備えたことを特徴とするレーザ走査型共焦点顕微鏡装置。
【請求項１２】 １ピクセル走査毎に、試料に照射させるレーザ光を少なくとも波長の異なるレーザ光に切り換える切換手段と、
前記試料上に、前記切換部により切り換えられたレーザ光であるスポット光を走査する走査手段と、
前記スポット光に基づく前記試料からの光をアナログ電気信号に変換する光電変換手段と、
前記アナログ電気信号をデジタル電気信号に変換するＡ／Ｄ変換手段と、
前記切換部によるレーザ光の切り換え状態に応じて、１ピクセル走査に対応する前記デジタル電気信号に、何れのレーザ光が照射されたことにより得られたものであるか及び何れのピクセルを走査したのもであるかを示す識別情報を、付帯させて記録する記録手段と、
該記録部に記録された前記デジタル電気信号に応じた画像を表示する表示手段と、を備えたことを特徴とするレーザ走査型共焦点顕微鏡装置。
【請求項１３】 １ライン走査毎に、試料に照射させるレーザ光を少なくとも波長の異なるレーザ光に切り換える切換手段と、
前記試料上に、前記切換部により切り換えられたレーザ光であるスポット光を走査する走査手段と、
前記スポット光に基づく前記試料からの光をアナログ電気信号に変換する光電変換手段と、
前記アナログ電気信号をデジタル電気信号に変換するＡ／Ｄ変換手段と、
前記切換部によるレーザ光の切り換え状態に応じて、１ライン走査に対応する前記デジタル電気信号に、何れのレーザ光が照射されたことにより得られたものであるか及び何れのラインを走査したのもであるかを示す識別情報を、付帯させて記録する記録手段と、
該記録部に記録された前記デジタル電気信号に応じた画像を表示する表示手段と、を備えたことを特徴とするレーザ走査型顕共焦点微鏡装置。
【請求項１４】 １フレーム走査毎に、試料に照射させるレーザ光を少なくとも波長の異なるレーザ光に切り換える切換手段と、
前記試料上に、前記切換部により切り換えられたレーザ光であるスポット光を走査する走査手段と、
前記スポット光に基づく前記試料からの光をアナログ電気信号に変換する光電変換手段と、
前記アナログ電気信号をデジタル電気信号に変換するＡ／Ｄ変換手段と、
前記切換部によるレーザ光の切り換え状態に応じて、１フレーム走査に対応する前記デジタル電気信号に、何れのレーザ光が照射されたことにより得られたものであるかを示す識別情報を、付帯させて記録する記録手段と、
該記録部に記録された前記デジタル電気信号に応じた画像を表示する表示手段と、を備えたことを特徴とするレーザ走査型共焦点顕微鏡装置。
【請求項１５】
前記走査では、前記複数のレーザ光の各々を時系列的にスポット光として試料上に走査し、
前記試料からの光の検出では、異なる波長の前記スポット光に基づき試料から発せられる共通の波長帯の光を一つの光検出器で検出し、
前記得られた画像情報を少なくとも前記試料を走査する前記複数のレーザ光の波長に応じて切り分けて記録することを特徴とする、請求項１に記載の画像記録方法。
【請求項１６】
前記走査では、前記複数のレーザ光の各々を時系列的にスポット光として試料上に走査し、
前記試料からの光の検出では、異なる波長の前記スポット光に基づき試料から発せられる共通の波長帯の光を一つの光検出器で検出し、
前記得られた画像情報を少なくとも前記試料を走査する前記複数のレーザ光の波長に応じて切り分けて記録することを前記コンピュータに実行させるためのプログラムを記録した請求項７に記載の記録媒体。
【請求項１７】
前記試料から発せられる共通の波長帯の光は、同一の蛍光物質から発せられる共通の波長帯の蛍光であることを特徴とする請求項１５に記載の画像記録方法。
【請求項１８】
前記試料から発せられる共通の波長帯の光は、同一の蛍光物質から発せられる共通の波長帯の蛍光であることを特徴とする請求項１６に記載の記録媒体。
【請求項１９】
レーザ走査型共焦点顕微鏡装置の画像記録方法であって、
それぞれのライン走査位置において、次のライン走査位置へ移動する前に、波長の異なる少なくとも２つのレーザ光で時系列的に試料を走査し、
前記波長の異なる少なくとも２つのレーザ光に基づき試料から発せられる共通の波長帯の光を１つの光検出器で検出し、
前記光検出器で検出した画像情報を、何れのレーザ光が照射されたことにより得られたものであるか及び何れのラインを走査したものであるかを示す識別情報を付帯させて記録することを特徴とする画像記録方法。
【請求項２０】
レーザ走査型共焦点顕微鏡装置の画像記録方法であって、
互いに波長の異なる第１のレーザ光と第２のレーザ光を交互に走査し、
該第１のレーザ光によるライン走査により得られる第１の画像情報に、該第１のレーザの波長を示す識別情報および何れのラインを走査したものであるかを示す識別情報を付帯させて記録し、
前記第２のレーザ光によるライン走査により得られる第２の画像情報に、該第２のレーザの波長を示す識別情報および何れのラインを走査したものであるかを示す識別情報を付帯させて記録することを特徴とする画像記録方法。
【請求項２１】
レーザ走査型共焦点顕微鏡装置の画像記録方法であって、
互いに波長の異なる第１のレーザ光と第２のレーザ光を交互に走査し、
該第１のレーザ光によるピクセル走査により得られる第１の画像情報に、該第１のレーザの波長を示す識別情報および何れのピクセルを走査したものであるかを示す識別情報を付帯させて記録し、
前記第２のレーザ光によるピクセル走査により得られる第２の画像情報に、該第２のレーザの波長を示す識別情報および何れのピクセルを走査したものであるかを示す識別情報を付帯させて記録することを特徴とする画像記録方法。
【手続補正２】
【補正対象書類名】明細書
【補正対象項目名】００２７
【補正方法】変更
【補正の内容】
【００２７】
上記の構成によれば、１フレーム走査に対応する画像情報に識別情報が付帯されるので、後に、その識別情報から何れのレーザ光により得られたものであるかを特定することができる。よって、複数のレーザ光を励起光として用いる測定にレーザ走査型共焦点顕微鏡装置を適用させることができる。
また、本発明はさらに次のような態様も含む。
第１５の態様は、上記第１の態様において、前記走査では前記複数のレーザ光の各々を時系列的にスポット光として試料上に走査し、前記試料からの光の検出では異なる波長の前記スポット光に基づき試料から発せられる共通の波長帯の光を一つの光検出器で検出し、前記得られた画像情報を少なくとも前記試料を走査する前記複数のレーザ光の波長に応じて切り分けて記録する。
第１６の態様は、上記第７の態様において、前記走査では前記複数のレーザ光の各々を時系列的にスポット光として試料上に走査し、前記試料からの光の検出では異なる波長の前記スポット光に基づき試料から発せられる共通の波長帯の光を一つの光検出器で検出し、前記得られた画像情報を少なくとも前記試料を走査する前記複数のレーザ光の波長に応じて切り分けて記録する。
第１７の態様は、前記第１５の態様において、前記試料から発せられる共通の波長帯の光は、同一の蛍光物質から発せられる共通の波長帯の蛍光である。
第１８の態様は、前記第１６の態様において、前記試料から発せられる共通の波長帯の光は、同一の蛍光物質から発せられる共通の波長帯の蛍光である。
第１９の態様は、レーザ走査型共焦点顕微鏡装置の画像記録方法であって、それぞれのライン走査位置において、次のライン走査位置へ移動する前に、波長の異なる少なくとも２つのレーザ光で時系列的に試料を走査し、前記波長の異なる少なくとも２つのレーザ光に基づき試料から発せられる共通の波長帯の光を１つの光検出器で検出し、前記光検出器で検出した画像情報を、何れのレーザ光が照射されたことにより得られたものであるか及び何れのラインを走査したものであるかを示す識別情報を付帯させて記録する。
第２０の態様は、レーザ走査型共焦点顕微鏡装置の画像記録方法であって、互いに波長の異なる第１のレーザ光と第２のレーザ光を交互に走査し、該第１のレーザ光によるライン走査により得られる第１の画像情報に、該第１のレーザの波長を示す識別情報および何れのラインを走査したものであるかを示す識別情報を付帯させて記録し、前記第２のレーザ光によるライン走査により得られる第２の画像情報に、該第２のレーザの波長を示す識別情報および何れのラインを走査したものであるかを示す識別情報を付帯させて記録する。
第２１の態様は、レーザ走査型共焦点顕微鏡装置の画像記録方法であって、互いに波長の異なる第１のレーザ光と第２のレーザ光を交互に走査し、該第１のレーザ光によるピクセル走査により得られる第１の画像情報に、該第１のレーザの波長を示す識別情報および何れのピクセルを走査したものであるかを示す識別情報を付帯させて記録し、前記第２のレーザ光によるピクセル走査により得られる第２の画像情報に、該第２のレーザの波長を示す識別情報および何れのピクセルを走査したものであるかを示す識別情報を付帯させて記録する。